(57)【要約】      （修正有）【課題】固体発光素子の接続異常による不具合の発生を抑制しつつ回路構成の簡略化及びコストダウンを図る。【解決手段】コネクタ５と光源６の接続状態に異常(無負荷又はルーズコンタクト)が生じた場合、スイッチング素子Q1のオン期間tonとオフ期間toffの比率が正常時から変化する。故に、制御回路２は、スイッチング素子Q1のオン期間tonとオフ期間toffの比率が所定範囲を外れた場合にスイッチング電源回路１の出力を抑制している。そのため、従来例とは異なり、制御回路２の他に、コネクタ５と光源６の接続状態の異常を検出する回路が不要となるので、固体発光素子の接続異常による不具合の発生を抑制しつつ回路構成の簡略化及びコストダウンを図ることができる。【選択図】図２
2014056803.tif 000002
【特許請求の範囲】
【請求項１】
出力端子間に固体発光素子が接続されるスイッチング電源回路と、前記スイッチング電源回路を構成するスイッチング素子をスイッチング制御する制御回路とを備え、前記スイッチング電源回路は、前記スイッチング素子とインダクタの直列回路と、前記スイッチング素子がオフしたときに前記インダクタから回生電流を流す回生素子とを有し、前記制御回路は、前記回生電流が所定の第１しきい値以下となったときに前記スイッチング素子をオンし、所定のオン期間が経過した場合、若しくは前記スイッチング素子を流れる電流が所定の第２しきい値以上となった場合に前記スイッチング素子をオフするものであって、前記制御回路は、前記スイッチング素子のオン期間とオフ期間の比率が所定の範囲を外れた場合に前記スイッチング電源回路の出力を抑制することを特徴とする固体発光素子駆動装置。
【請求項２】
前記オン期間は、前記スイッチング素子がオンする期間中で且つ前記インダクタを流れる電流が増加する期間に略等しく、前記オフ期間は、前記スイッチング素子がオフする期間中で且つ前記回生電流が減小する期間に略等しいことを特徴とする請求項１記載の固体発光素子駆動装置。
【請求項３】
前記制御回路は、前記比率が前記所定範囲を外れた場合、前記スイッチング素子のオン期間又はオン期間の比率を減少させることを特徴とする請求項２記載の固体発光素子駆動装置。
【請求項４】
前記制御回路は、前記オフ期間の経時的な変動から前記比率が前記所定範囲を外れたか否かを判断することを特徴とする請求項１〜３の何れか１項に記載の固体発光素子駆動装置。
【請求項５】
前記制御回路は、前記オン期間の経時的な変動から前記比率が前記所定範囲を外れたか否かを判断することを特徴とする請求項１〜３の何れか１項に記載の固体発光素子駆動装置。
【請求項６】
前記制御回路は、前記スイッチング電源回路に入力される電圧が所定の範囲から外れている間は、前記比率が前記所定範囲を外れたか否かを判断しないことを特徴とする請求項１〜５の何れか１項に記載の固体発光素子駆動装置。
【請求項７】
ＰＷＭ(パルス幅変調)信号を生成するタイマを備え、前記タイマで生成される前記ＰＷＭ信号と前記スイッチング素子の駆動信号とが同期していることを特徴とする請求項１〜６の何れか１項に記載の固体発光素子駆動装置。
【請求項８】
前記オン期間又は前記オフ期間のうちの少なくとも何れか一方の期間が前記タイマで生成されるＰＷＭ信号のハイレベル期間又はローレベル期間に略一致しており、前記制御回路は、前記ハイレベル期間又は前記ローレベル期間の経時的な変動から前記比率が前記所定範囲を外れたか否かを判断することを特徴とする請求項７記載の固体発光素子駆動装置。
【請求項９】
前記制御回路は、タイマを内蔵したマイクロコンピュータからなり、前記タイマで前記ＰＷＭ信号を生成することを特徴とする請求項７又は８記載の固体発光素子駆動装置。
【請求項１０】
前記制御回路は、前記タイマの出力をカウントすることによって前記ハイレベル期間又は前記ローレベル期間の経時的な変動を監視することを特徴とする請求項９記載の固体発光素子駆動装置。
【請求項１１】
請求項１〜１０の何れかの固体発光素子駆動装置と、前記固体発光素子駆動装置によって駆動される固体発光素子とを備えることを特徴とする照明装置。
【請求項１２】
請求項１〜１０の何れかの固体発光素子駆動装置と、前記固体発光素子駆動装置によって駆動される固体発光素子と、前記固体発光素子駆動装置及び前記固体発光素子を保持する器具本体とを備えることを特徴とする照明器具。
【発明の詳細な説明】
【技術分野】
【０００１】
本発明は、発光ダイオードや有機エレクトロルミネセンス(ＥＬ)素子などの固体発光素子を駆動して発光させる固体発光素子駆動装置、及びその駆動装置を用いる照明装置、照明器具に関する。
【背景技術】
【０００２】
この種の固体発光素子駆動装置として、例えば、特許文献１に記載されている電源装置がある。この従来例は、出力段に平滑コンデンサを有するスイッチング電源回路(スイッチングレギュレータ)と、平滑コンデンサの両端に負荷であるＬＥＤモジュールを着脱可能に接続するコネクタとを有している。そして、コネクタによりＬＥＤモジュールが取り外されると、平滑コンデンサもスイッチング電源回路から切り離されるため、過大な電圧(無負荷電圧)が平滑コンデンサの両端に印加されることが回避できる。
【０００３】
しかしながら、特許文献１記載の従来例において、コネクタによる接続が不完全な状態(いわゆるルーズコンタクトの状態)であると、平滑コンデンサがスイッチング電源回路から完全には切り離されないために過大な電圧が印加されてしまう虞がある。そして、ルーズコンタクトの状態から完全な接続状態に移行した場合、定常時よりも上昇している平滑コンデンサの両端電圧がＬＥＤモジュールの点灯電圧まで一気にクランプされるため、ＬＥＤモジュールに過電流が流れてしまう。
【０００４】
そこで、このような不具合を解決するため、固体発光素子駆動装置から出力される電圧又は電流を監視することで無負荷やルーズコンタクトなどの接続異常を検出する異常検出回路を備えたものが提案されている。そして、異常検出回路が接続異常を検出した場合、出力電圧及び出力電流を抑制することで固体発光素子の破損などの不具合の発生を回避することができる。
【先行技術文献】
【特許文献】
【０００５】
【特許文献１】特開２０１０−２６３７１６号公報
【発明の概要】
【発明が解決しようとする課題】
【０００６】
しかしながら、上記後者の従来例では、スイッチング素子のスイッチングを制御する回路(制御回路)とは別に異常検出回路が必要となるため、回路構成が複雑になり、コストも上昇するという問題があった。
【０００７】
本発明は、上記課題に鑑みて為されたものであり、固体発光素子の接続異常による不具合の発生を抑制しつつ回路構成の簡略化及びコストダウンを図ることを目的とする。
【課題を解決するための手段】
【０００８】
本発明の固体発光素子駆動装置は、出力端子間に固体発光素子が接続されるスイッチング電源回路と、前記スイッチング電源回路を構成するスイッチング素子をスイッチング制御する制御回路とを備え、前記スイッチング電源回路は、前記スイッチング素子とインダクタの直列回路と、前記スイッチング素子がオフしたときに前記インダクタから回生電流を流す回生素子とを有し、前記制御回路は、前記回生電流が所定の第１しきい値以下となったときに前記スイッチング素子をオンし、所定のオン期間が経過した場合、若しくは前記スイッチング素子を流れる電流が所定の第２しきい値以上となった場合に前記スイッチング素子をオフするものであって、前記制御回路は、前記スイッチング素子のオン期間とオフ期間の比率が所定の範囲を外れた場合に前記スイッチング電源回路の出力を抑制することを特徴とする。
【０００９】
この固体発光素子駆動装置において、前記オン期間は、前記スイッチング素子がオンする期間中で且つ前記インダクタを流れる電流が増加する期間に略等しく、前記オフ期間は、前記スイッチング素子がオフする期間中で且つ前記回生電流が減小する期間に略等しいことが好ましい。
【００１０】
この固体発光素子駆動装置において、前記制御回路は、前記比率が前記所定範囲を外れた場合、前記スイッチング素子のオン期間又はオン期間の比率を減少させることが好ましい。
【００１１】
この固体発光素子駆動装置において、前記制御回路は、前記オフ期間の経時的な変動から前記比率が前記所定範囲を外れたか否かを判断することが好ましい。
【００１２】
この固体発光素子駆動装置において、前記制御回路は、前記オン期間の経時的な変動から前記比率が前記所定範囲を外れたか否かを判断することが好ましい。
【００１３】
この固体発光素子駆動装置において、前記制御回路は、前記スイッチング電源回路に入力される電圧が所定の範囲から外れている間は、前記比率が前記所定範囲を外れたか否かを判断しないことが好ましい。
【００１４】
この固体発光素子駆動装置において、ＰＷＭ(パルス幅変調)信号を生成するタイマを備え、前記タイマで生成される前記ＰＷＭ信号と前記スイッチング素子の駆動信号とが同期していることが好ましい。
【００１５】
この固体発光素子駆動装置において、前記オン期間又は前記オフ期間のうちの少なくとも何れか一方の期間が前記タイマで生成されるＰＷＭ信号のハイレベル期間又はローレベル期間に略一致しており、前記制御回路は、前記ハイレベル期間又は前記ローレベル期間の経時的な変動から前記比率が前記所定範囲を外れたか否かを判断することが好ましい。
【００１６】
この固体発光素子駆動装置において、前記制御回路は、タイマを内蔵したマイクロコンピュータからなり、前記タイマで前記ＰＷＭ信号を生成することが好ましい。
【００１７】
この固体発光素子駆動装置において、前記制御回路は、前記タイマの出力をカウントすることによって前記ハイレベル期間又は前記ローレベル期間の経時的な変動を監視することが好ましい。
【００１８】
本発明の照明装置は、前記何れかの固体発光素子駆動装置と、前記固体発光素子駆動装置によって駆動される固体発光素子とを備えることを特徴とする。
【００１９】
本発明の照明器具は、前記何れかの固体発光素子駆動装置と、前記固体発光素子駆動装置によって駆動される固体発光素子と、前記固体発光素子駆動装置及び前記固体発光素子を保持する器具本体とを備えることを特徴とする。
【発明の効果】
【００２０】
本発明の固体発光素子駆動装置及び照明装置、照明器具は、固体発光素子の接続異常による不具合の発生を抑制しつつ回路構成の簡略化及びコストダウンを図ることができるという効果がある。
【図面の簡単な説明】
【００２１】
【図１】本発明に係る固体発光素子駆動装置(ＬＥＤ駆動装置)及び照明装置の実施形態１の動作を説明するためのタイムチャートである。
【図２】同上の回路構成図である。
【図３】本発明に係る固体発光素子駆動装置(ＬＥＤ駆動装置)及び照明装置の実施形態２の回路構成図である。
【図４】同上の動作説明用のタイムチャートである。
【図５】本発明に係る固体発光素子駆動装置(ＬＥＤ駆動装置)及び照明装置の実施形態３の回路構成図である。
【図６】同上の動作説明用のタイムチャートである。
【図７】同上の動作説明用のタイムチャートである。
【発明を実施するための形態】
【００２２】
以下、固体発光素子としてＬＥＤ(発光ダイオード)を用いた固体発光素子駆動装置及び照明装置、照明器具に本発明の技術思想を適用した実施形態について説明する。ただし、固体発光素子はＬＥＤに限定されるものではなく、有機エレクトロルミネセンス(ＥＬ)素子などのＬＥＤ以外の固体発光素子であってもよい。
【００２３】
(実施形態１)
本実施形態の照明装置は、図２に示すように複数個のＬＥＤの直列回路からなる光源６と、商用の交流電源100から供給される交流電力を直流電力に変換して光源６を駆動(点灯)する固体発光素子駆動装置(ＬＥＤ駆動装置)とで構成される。
【００２４】
本実施形態のＬＥＤ駆動装置は、スイッチング電源回路１、制御回路２、フィルタ回路３、直流電源部４、コネクタ５などを備える。フィルタ回路３は、交流電源100から供給される交流電圧・交流電流に重畳する高調波ノイズを除去するためのものである。直流電源部４は、フィルタ回路３でフィルタリングされた後の交流電圧・交流電流を整流する全波整流器(例えば、ダイオードブリッジ)、あるいは、全波整流器と力率改善用の昇圧チョッパ回路で構成される。ただし、力率改善用の昇圧チョッパ回路については従来周知であるから詳細な回路構成及び動作の説明は省略する。
【００２５】
直流電源部４の出力端間に平滑コンデンサC1が接続され、平滑コンデンサC1で平滑された直流電圧Ｖdcがスイッチング電源回路１の入力端間に印加される。スイッチング電源回路１は、スイッチング素子Q1、ダイオードD1、インダクタL1、平滑コンデンサC2、ドライブ回路10などで構成される降圧チョッパ回路である。電界効果トランジスタからなるスイッチング素子Q1のドレインがダイオードD1のアノードに接続され、スイッチング素子Q1のソースが低電位側の入力端を介して平滑コンデンサC1に接続されている。また、ダイオードD1のアノードとスイッチング素子Q1のドレインとの接続点にインダクタL1の一端が接続され、インダクタL1の他端とダイオードD1のカソードとの間に平滑コンデンサC2が接続されている。そして、平滑コンデンサC2の両端(スイッチング電源回路１の出力端)がコネクタ５に接続されている。なお、インダクタL1には２次巻線L2が設けられており、２次巻線L2の一端が回路グランドに接続され、２次巻線L2の他端が制御回路２の入力ポートに接続されている。
【００２６】
ドライブ回路10は、制御回路２から与えられる駆動信号がハイレベルのときにスイッチング素子Q1のゲートにバイアス電圧を印加してオンし、駆動信号がローレベルのときにバイアス電圧を印加しないことでスイッチング素子Q1をオフする。
【００２７】
制御回路２は、ＰＷＭ(パルス幅変調)信号を生成するタイマ(PWMタイマ20)を備えたマイクロコンピュータで構成され、PWMタイマ20の出力信号(PWM信号)を駆動信号としてドライブ回路10に与える。また、制御回路２は、入力ポートを通して入力される２次巻線L2の電圧(誘導電圧)が反転したときにPWMタイマ20をリセットし且つ再スタートさせるPWMタイマ制御部21を備えている。すなわち、制御回路２は、スイッチング素子Q1のオン期間にインダクタL1に蓄えられるエネルギーがスイッチング素子Q1のオフ期間に全て放出された時点でスイッチング素子Q1を再びオンする制御、いわゆる臨界電流制御を行っている。さらに、制御回路２は、PWMタイマ20の出力信号を取り込み、当該出力信号がハイレベルとなる期間又はローレベルとなる期間を計測する計測部22を備えている。
【００２８】
次に、制御回路２によるスイッチング電源回路１の制御動作について説明する。スイッチング電源回路１では、図１に示すようにスイッチング素子Q1のオン期間tonにインダクタL1に流れる電流が直線的に増加し、スイッチング素子Q1のオフ期間toffにインダクタL1に流れる電流が直線的に減少する。ここで、インダクタL1に流れる電流(インダクタ電流)のピーク値ILpは、スイッチング素子Q1のスイッチング周期(=ton+toff)におけるスイッチング電源回路１の出力電流の平均値をIoとしたとき、臨界電流制御の実行時においては、下記の式(１)で表される。
【００２９】
ILp=2Io…(１)
また、インダクタL1のインダクタンスをLとし、スイッチング電源回路１の出力電圧をVoとすると、インダクタ電流のピーク値ILpは、下記の式(２)でも表すことができる。
【００３０】
ILp=ton×(Vdc-Vo)/L…(２)
故に、式(２)に式(１)を代入して整理すれば、下記の式(３)が導かれる。
【００３１】
Io=ton×(Vdc-Vo)/2L…(３)
ここで、スイッチング電源回路１の出力電圧Voは、通常、光源６の定格電圧(＝ＬＥＤの順方向電圧×直列接続されるＬＥＤの個数)に等しく、且つ光源６が定電流駆動されている場合はほぼ一定の値となる。故に、直流電源部４の出力電圧Vdcが十分に安定していれば、PWMタイマ20の出力信号(PWＭ信号)のハイレベル期間を式(３)から算出されるオン期間tonに一致させることで、スイッチング電源回路１の出力電圧Vo，出力電流Ioを所望の値にすることができる。
【００３２】
一方、インダクタ電流のピーク値ILpとスイッチング素子Q1のオフ期間toffとの間には、下記の式(４)が成立する。
【００３３】
ILp=toff×Vo/L…(４)
式(４)を式(２)に代入して整理すると、下記の式(５)が得られる。
【００３４】
ton/toff=Vo/(Vdc-Vo)…(５)
すなわち、ＬＥＤ駆動装置が正常に動作して光源６に定格電圧・定格電流を供給していれば、直流電源部４の出力電圧Vdcとスイッチング電源回路１の出力電圧Voが一定値に維持されるため、オン期間tonとオフ期間toffの比率(ton/toff)が所定の範囲内に収まってほぼ一定となる。
【００３５】
ここで、光源６がコネクタ５から外れた状態(無負荷状態)や光源６とコネクタ５とが不完全な接続状態(ルーズコンタクト状態)となった場合、スイッチング電源回路１の出力電圧Voが上昇する。そのため、式(５)の右辺において分母が減少するとともに分子が増加するから、オン期間tonとオフ期間toffの比率(ton/toff)も高くなって、所定範囲を外れてしまう。なお、PWMタイマ20の出力信号のハイレベル期間が一定であるから、オン期間tonが変化せずにオフ期間toffが減少することになる(図１参照)。
【００３６】
そこで、制御回路２は、PWMタイマ20の出力信号がローレベルとなる期間を計測部22で計測し、光源６がコネクタ５に正常に接続されているときのローレベル期間(オフ期間toff)と比較する。そして、計測部22で計測されるローレベル期間が正常時のローレベル期間よりも減少したら、制御回路２では、オン期間tonとオフ期間toffの比率(ton/toff)が所定範囲を外れた、すなわち、コネクタ５と光源６の間に接続異常が有ると判断する。ただし、計測部22が、ローレベル期間を計測する代わりに、ハイレベル期間の立ち上がりから次のハイレベル期間の立ち上がりまでの時間(オン期間tonとオフ期間toffを合わせた全期間)を計測し、前記時間が正常時の値(しきい値)よりも短くなったら接続異常有りと判断してもよい。そして、接続異常有りと判断した制御回路２は、スイッチング素子Q1のオン期間tonの比率を減少させるようにPWMタイマ20を制御することにより、スイッチング電源回路１の出力電圧Voの上昇が抑制できる。
【００３７】
上述のように本実施形態では、スイッチング素子Q1のオン期間tonとオフ期間toffの比率が所定範囲を外れた場合、制御回路２がスイッチング電源回路１の出力を抑制している。そのため、従来例とは異なり、制御回路２の他に、コネクタ５と光源６の接続状態の異常を検出する回路が不要となるので、固体発光素子の接続異常による不具合の発生を抑制しつつ回路構成の簡略化及びコストダウンを図ることができる。
【００３８】
また、制御回路２において、マイクロコンピュータに搭載されたレジスタに各サイクル毎のオフ期間toff若しくは全期間の計測値を保存し、それらの計測値の経時的な変動から接続異常の有無を判断してもよい。
【００３９】
(実施形態２)
本実施形態のＬＥＤ駆動装置及び照明装置の回路構成図を図３に示す。ただし、本実施形態の基本構成は実施形態１と共通するので、実施形態１と共通の構成要素には同一の符号を付して説明を省略する。
【００４０】
本実施形態は、フリップフロップ23及びリセット信号発生部24が制御回路２に追加され、平滑コンデンサC1の低電位側の端子とスイッチング素子Q1のソースとの間に検出抵抗R1が挿入されている点が実施形態１と相違する。
【００４１】
フリップフロップ23は、PWMタイマ20の出力信号がセット端子に入力されると出力をハイレベルに立ち上げ、リセット信号発生部24からリセット端子にリセット信号が入力されると出力をローレベルに立ち下げる。そして、フリップフロップ23の出力が駆動信号としてドライブ回路10に与えられてスイッチング素子Q1がスイッチングされる。
【００４２】
リセット信号発生部24は、スイッチング素子Q1を介して流れるインダクタ電流を検出抵抗R1によって検出し、インダクタ電流が予め決められたピーク値ILpに達したら、ワンショットパルスからなるリセット信号を発生する。
【００４３】
而して、フリップフロップ23から出力される駆動信号がハイレベルに立ち上がるとドライブ回路10がスイッチング素子Q1をオンしてインダクタ電流が流れ始める。そして、インダクタ電流がピーク値ILpに達すると、リセット信号発生部24からリセット信号が出力されてフリップフロップ23の出力(駆動信号)がローレベルに立ち下がり、ドライブ回路10がスイッチング素子Q1をオフする。そして、インダクタL1に蓄積されたエネルギーが全て放出されてインダクタ電流がゼロになると、PWMタイマ制御部21がPWMタイマ20をリセットし且つ再スタートさせる。その結果、フリップフロップ23の出力(駆動信号)がハイレベルに立ち上がり、ドライブ回路10がスイッチング素子Q1をオンして再びインダクタ電流が流れ始める(図４参照)。また、本実施形態においても、ＬＥＤ駆動装置が正常に動作して光源６に定格電圧・定格電流を供給していれば、直流電源部４の出力電圧Vdcとスイッチング電源回路１の出力電圧Voが一定値に維持されるため、オン期間tonとオフ期間toffの比率(ton/toff)も所定範囲内に収まってほぼ一定となる。
【００４４】
ここで、式(２)を変形すると、下記の式(６)が得られる。
【００４５】
ton=L×ILp/(Vdc-Vo)…(６)
上記式(６)から明らかなように、直流電源部４の出力電圧Vdcが十分に安定している限り、無負荷状態やルーズコンタクト状態になってスイッチング電源回路１の出力電圧Voが上昇すると、インダクタ電流がピーク値ILpに達するまでの時間(オン期間ton)が正常時よりも長くなる(図４参照)。
【００４６】
一方、式(４)を変形すると、下記の式(７)が得られる。
【００４７】
toff=L×ILp/Vo…(７)
上記式(６)から明らかなように、直流電源部４の出力電圧Vdcが十分に安定している限り、無負荷状態やルーズコンタクト状態で出力電圧Voが上昇すると、オフ期間toffが正常時よりも短くなる(図４参照)。
【００４８】
したがって、フリップフロップ23からドライブ回路10に与えられる駆動信号のハイレベル期間又はローレベル期間を計測し、その計測値が正常時のしきい値を超えるか、若しくは計測値の経時的な変動が所定値を超えたときに接続異常有りと判断できる。
【００４９】
(実施形態３)
本実施形態のＬＥＤ駆動装置及び照明装置の回路構成図を図５に示す。ただし、本実施形態の基本構成は実施形態１と共通するので、実施形態１と共通の構成要素には同一の符号を付して説明を省略する。
【００５０】
実施形態１においては、直流電源部４からスイッチング電源回路１に印加(入力)される直流電圧Vdcが安定していることを前提条件としている。しかしながら、商用の交流電源100から供給される交流電圧を直流電圧Vdcに変換する場合、直流電圧Vdcは、交流電源100の電源周波数の２倍の周波数のリプル電圧が重畳されることが多く、僅かながらも変動する虞がある。また、交流電圧が非常に短い期間内で変動した場合、直流電源部４の応答性によっては、直流電圧Vdcも非常に短い期間内で変動する虞がある。そして、直流電圧Vdcが変動した場合、式(５)からも明らかなように、スイッチング素子Q1のオン期間tonとオフ期間toffの比率も変動してしまうため、制御回路２が接続異常有りと誤判断してしまう可能性が高い。
【００５１】
そこで本実施形態では、入力電圧変動検出部25を制御回路２に備えている。この入力電圧変動検出部25は、スイッチング電源回路１の入力電圧Vdcを取り込み、入力電圧Vdcの変動がしきい値を超えたことを検出すると、計測部22に対して検出信号を出力する。そして、制御回路２では、入力電圧変動検出部25から検出信号が出力されている間、計測部22の計測結果に基づく接続異常の有無が判断されない。
【００５２】
したがって、本実施形態では、スイッチング電源回路１の入力電圧Vdcの変動に起因して、制御回路２で接続異常有りと誤判断されることが防止できる。
【００５３】
なお、コネクタ５と光源６の接続異常だけでなく、例えば、光源６が故障してスイッチング電源回路１の出力電圧Voが低下した場合においても、オン期間tonとオフ期間toffの比率に基づいて異常の有無を判断し、スイッチング電源回路１の出力を抑制することができる(図６及び図７参照)。
【００５４】
また、上述した実施形態１〜３では、スイッチング電源回路１として臨界電流制御される降圧チョッパ回路を例示したが、スイッチング電源回路１の回路構成は臨界電流制御される降圧チョッパ回路に限定されるものではない。さらに、交流電源100と直流電源部４の代わりに、蓄電池などの直流電源からスイッチング電源回路１に直流電力が供給されてもよい。
【００５５】
ここで、図示は省略するが、実施形態１〜３の何れかのＬＥＤ駆動装置と光源６を器具本体に保持することで照明器具を実現することができる。このような照明器具としては、例えば、ダウンライトやシーリングライト、あるいは車両の前照灯などが実現可能である。
【符号の説明】
【００５６】
１  スイッチング電源回路
２  制御回路
６  光源(固体発光素子)
Q1  スイッチング素子
L1  インダクタ
D1  ダイオード(回生素子)
【図１】
2014056803.tif 000003
【図２】
2014056803.tif 000004
【図３】
2014056803.tif 000005
【図４】
2014056803.tif 000006
【図５】
2014056803.tif 000007
【図６】
2014056803.tif 000008
【図７】
2014056803.tif 000009